(57)【要約】【課題】プリンタとホストコンピュータとの通信により印刷データの作成時から回転処理を行うことで、ジョブ単位での印刷物の排紙方向を交互にすることを可能にする印刷システムを提供する。【解決手段】印刷データを送信するホストコンピュータ１とプリンタ２とがネットワークで接続された印刷システムにおいて、プリンタ２は、前ジョブの情報２１と用紙トレイ情報２２を持ち、各情報に基いてホストコンピュータ１に排紙方向を指示する機能を有し、ホストコンピュータ１は指示された排紙方向に従った印刷データを作成し、プリンタ２に送信する機能を有する。【選択図】        図１
2004272484.tif 000002
【特許請求の範囲】
【請求項１】
印刷データを送信するホストコンピュータとプリンタとがネットワークで接続された印刷システムにおいて、プリンタは、前ジョブの情報と用紙トレイ情報を持ち、各情報に基づいてホストコンピュータに排紙方向を指示する機能を有し、前記ホストコンピュータは指示された排紙方向に従った印刷データを作成し、プリンタに送信する機能を有することを特徴とする印刷システム。
【請求項２】
請求項１記載の印刷システムにおいて、プリンタは、前ジョブと異なる用紙方向での印刷データ作成をホストコンピュータに指示することで、ジョブ単位で出力を縦、横交互に排紙する機能を有することを特徴とする印刷システム。
【請求項３】
請求項１記載の印刷システムにおいて、プリンタとホストコンピュータが通信を行った際に、そのホストコンピュータが前ジョブを送信したホストコンピュータと同一だった際には、プリンタは、前ジョブと同じ方向で印刷データを作成するように指示する機能を有することを特徴とする印刷システム。
【請求項４】
請求項１記載の印刷システムにおいて、プリンタが受信した印刷データが前ジョブを送信したホストコンピュータから送信されたものではなく、かつ前ジョブと同一の用紙方向であった場合には、プリンタは、データの回転処理を行い、前ジョブと異なる用紙方向で排紙する機能を有することを特徴とする印刷システム。
【請求項５】
請求項１記載の印刷システムにおいて、プリンタとホストコンピュータが通信を行った際に、プリンタ内の特定の方向の用紙がなくなった場合には、プリンタは、前ジョブの用紙方向に関わらず供給可能な用紙方向での印刷データ作成をホストコンピュータに指示する機能を有することを特徴とする印刷システム。
【請求項６】
請求項１記載の印刷システムにおいて、ホストコンピュータは、指示された排紙方向の可否をユーザの操作で選択可能であることを特徴とする印刷システム。
【発明の詳細な説明】
【０００１】
【発明の属する技術分野】
本発明は、印刷データを送信するホストコンピュータとプリンタとがネットワークで接続された印刷システムに関し、特に、複数部の印刷物が排出される場合において、それぞれの印刷物の区切りを判り易くするために、印刷物をジョブ単位で縦・横と交互に排出するための技術に関するものである。
【０００２】
【従来の技術】
例えば、特許文献１〜４において、ジョブの区切りが判るように区切り用紙の挿入、ジョブ単位で印刷物を反転させる手段について述べられている。またこれらの公報中で公知の手段として、ジョブ単位で印刷物を縦・横に排出する手段について示されている。
【特許文献１】特開２００１−１９９１４０公報
【特許文献２】特開平１１−０８４９４８号公報
【特許文献３】特開平１１−１５７１８３号公報
【特許文献４】特許第３３０７６０６号
【０００３】
【発明が解決しようとする課題】
複数のユーザにより共用されジョブ仕分けのための特別な装置（例えばソータ）を持たないプリンタでは、複数のユーザの印刷物がひとつのトレイに堆積され、ジョブとジョブの区切りが判り難いという問題がある。このためジョブ毎の区切りをユーザに判らせる方法として、用紙排出時に縦横の方向の切り替えを行う方法や、用紙の方向は同一で印刷の向きを変えて印刷する方法、またジョブごとに区切りページを挿入し、その区切りページに印刷データ送信元の情報等を印字するという方法が提案されている。
前記の印刷物排紙時に縦・横という方向で排出することで区切りを判らせる方法は排紙機構が複雑になるという欠点があり、またジョブ毎に印刷方向を変えて印刷する方法では、印刷物の印字面が下になって排出されるためにジョブの区切りが容易に判るとは言い難い。さらにジョブごとに区切りページを挿入する方法は、ジョブ毎の区切りが判り易いが合紙のための用紙を用意しなければならず、また合紙に情報を印字した場合、合紙の再利用が難しい。さらにページ数の少ない印刷ジョブが多いと区切りページのためのコストが高くなってしまう欠点を持つ。
これに対して、ジョブ単位で印刷物を縦・横と交差させる排紙方法はジョブ毎の区切りが判り易く、区切りページを挿入する方法のように資源を要することもない。また排紙時に用紙の回転を行うのではなく印刷データ作成の時点から回転処理を行えば、給紙装置に向きの異なる用紙をセットするだけで排紙装置に回転処理を行うような複雑な機構は必要なくなり、容易にジョブ単位で縦・横と交互に排紙することが可能である。
本発明は、プリンタとホストコンピュータとの通信により印刷データの作成時から回転処理を行うことで、ジョブ単位での印刷物の排紙方向を交互にすることを可能にする印刷システムを提供することを目的とするものである。
【０００４】
【課題を解決するための手段】
上記目的を達成するために、請求項１記載の発明は、印刷データを送信するホストコンピュータとプリンタとがネットワークで接続された印刷システムにおいて、プリンタは、前ジョブの情報と用紙トレイ情報を持ち、各情報に基いてホストコンピュータに排紙方向を指示する機能を有し、ホストコンピュータは指示された排紙方向に従った印刷データを作成し、プリンタに送信する機能を有する印刷システムを最も主要な特徴とする。
請求項２記載の発明は、請求項１記載の印刷システムにおいて、プリンタは、前ジョブと異なる用紙方向での印刷データ作成をホストコンピュータに指示することで、ジョブ単位で出力を縦、横交互に排紙する機能を有する印刷システムを主要な特徴とする。
請求項３記載の発明は、請求項１記載の印刷システムにおいて、プリンタとホストコンピュータが通信を行った際に、そのホストコンピュータが前ジョブを送信したホストコンピュータと同一だった際には、プリンタは、前ジョブと同じ方向で印刷データを作成するように指示する機能を有する印刷システムを主要な特徴とする。
請求項４記載の発明は、請求項１記載の印刷システムにおいて、プリンタが受信した印刷データが前ジョブを送信したホストコンピュータから送信されたものではなく、かつ前ジョブと同一の用紙方向であった場合には、プリンタは、データの回転処理を行い、前ジョブと異なる用紙方向で排紙する機能を有する印刷システムを主要な特徴とする。
請求項５記載の発明は、請求項１記載の印刷システムにおいて、プリンタとホストコンピュータが通信を行った際に、プリンタ内の特定の方向の用紙がなくなった場合には、プリンタは、前ジョブの用紙方向に関わらず供給可能な用紙方向での印刷データ作成をホストコンピュータに指示する機能を有する印刷システムを主要な特徴とする。
請求項６記載の発明は、請求項１記載の印刷システムにおいて、ホストコンピュータは、指示された排紙方向の可否をユーザの操作で選択可能である印刷システムを主要な特徴とする。
【０００５】
【発明の実施の形態】
以下、本発明の実施の形態を図面に従って説明する。
図１は本発明の実施の形態に係る印刷システムの構成図である。本印刷システムは、印刷データを送信するホストコンピュータ１とプリンタ２とがネットワークで接続されることで構成されている。
ホストコンピュータ１は、プリンタ２からの排紙方向指示の可否をユーザの操作で選択する選択部１１と、データ作成部１２を有する。プリンタ２は、前ジョブの情報２１と、用紙トレイ情報２２と、回転処理部２３と、判断部２４を有する。前ジョブの情報２１には、排紙方向、送付元が含まれる。用紙トレイ情報２２には、用紙方向と残用紙量が含まれる。
ホストコンピュータ１上でユーザが印刷を指示するような状況になった時（例えば印刷機能を持つアプリケーション立ち上げ時やプリンタドライバ起動時）において、ホストコンピュータ１は、プリンタ２と通信しプリンタ２から前ジョブの情報２１と用紙トレイ情報２２に基づいた排紙方向の指示を受ける。
ホストコンピュータ１はこの情報に基づき排紙方向に従った印刷データの作成をデータ作成部１２で行い、対象プリンタ２にデータを送付する。もし通信を行っているホストコンピュータ１が前ジョブを送付したホストコンピュータ１と同一の場合は、プリンタ２は、前ジョブと同じ排紙方向での印刷データ作成を指示する。プリンタ２は、前ジョブと異なる用紙方向での印刷データ作成をホストコンピュータ１に指示することで、ジョブ単位で出力を縦、横交互に排紙する機能を有する。またホストコンピュータ１とプリンタ２の通信時にホストコンピュータ１を操作するユーザが選択部１１で排紙方向の指定可否の選択を行うこともできる。プリンタとホストコンピュータが通信を行った際に、プリンタ内の特定の方向の用紙がなくなった場合には、プリンタは、前ジョブの用紙方向に関わらず供給可能な用紙方向での印刷データ作成をホストコンピュータに指示する機能を有する。
ホストコンピュータ１からの印刷データを受信したプリンタ２は、前ジョブと異なるホストコンピュータ１からのデータかの判断や、排紙方向が交差することの確認を判断部２４で行い出力する。
しかし複数のユーザが使用する場合においては複数のホストコンピュータ１に同じ排紙方向を指示し、それらのホストコンピュータ１からの印刷データが連続して送付される可能性があるため、前ジョブとの排紙方向が同一で、また前ジョブを送付したホストコンピュータ１とは異なるホストコンピュータ１からの印刷データであった場合には、プリンタ２は、回転処理部２３でデータの回転処理を行うことで、ジョブ毎に排紙方向が交差するように出力を行う。
【０００６】
【発明の効果】
請求項１記載の発明によれば、ホストコンピュータの印刷データ作成時に用紙の排紙方向を指示できるため、プリンタ側に特別な排紙装置を必要とせず排紙方向を変更することができる。
請求項２記載の発明によれば、プリンタに特別な排紙装置を設けることなく、ジョブ毎に排紙を縦・横と交互に排出することができるため、複数の印刷物が排紙される場合でもジョブ毎の区切りが判り易い。
請求項３記載の発明によれば、同一ユーザのジョブが連続する場合に排紙方向が交差しないので、ユーザは容易に自分が出力した印刷物を他の印刷物と区別することが可能である。
請求項４記載の発明によれば、前ジョブの排紙方向と同一な場合においても、プリンタにおいて回転処理を行うことで確実にジョブ毎に排紙方向を交差させることができる。
請求項５記載の発明によれば、特定の方向の用紙がなくなったことによりジョブ毎に縦・横と交互に排紙ができなくなるが、補給可能な方向の用紙で印刷データ作成の指示を行うことで、印刷を完全に中断されることはなくなる。
請求項６記載の発明によれば、ユーザに排紙方向指定の可否選択を行わせるので、例えば同一ユーザが異なるホストコンピュータから印刷出力を行った際に印刷方向を揃えることが可能となる。
【図面の簡単な説明】
【図１】本発明の実施の形態に係る印刷システムの構成図である。
【符号の説明】
１  ホストコンピュータ
２  プリンタ
２１  前ジョブの情報
２２  用紙トレイ情報
【図１】
2004272484.tif 000003